(57)【要約】  レゾネータ装置は、電気自動車に積載され且つ当該電気自動車を駆動するためのバッテリのワイヤレス充電に用いられ、当該電気自動車に積載される受電用又は地上に設置される送電用の、レゾネータ装置であって、一端部に第１コイル端子が接続され、他端部に第２コイル端子が接続されたコイルと、下面の中心部を取り囲んで巻回するように収納溝が形成され、巻回された収納溝の最も中心部側に位置する一端部に、第１コイル端子を収納する第１端子配置領域が形成され、券回された収納溝の最も外側に位置する他端部に、第２コイル端子を収納する第２端子配置領域が形成され、コイルを渦巻き状に収納溝に収納するコイルケースと、コイルケースの下面と隣接するように配置されるフェライトコアと、第１コイル端子が電気的に接続される第１制御端子及び第２コイル端子が電気的に接続される第２制御端子が設けられた制御基板と、を備える。
2020044450.tif 000002
【特許請求の範囲】
【請求項１】
電気自動車に積載され且つ当該電気自動車を駆動するためのバッテリのワイヤレス充電に用いられ、当該電気自動車に積載される受電用又は地上に設置される送電用の、レゾネータ装置であって、
一端部に第１コイル端子が接続され、他端部に第２コイル端子が接続されたコイルと、
下面の中心部を取り囲んで巻回するように収納溝が形成され、巻回された前記収納溝の最も中心部側に位置する一端部に、前記第１コイル端子を収納する第１端子配置領域が形成され、券回された前記収納溝の最も外側に位置する他端部に、前記第２コイル端子を収納する第２端子配置領域が形成され、前記コイルを渦巻き状に前記収納溝に収納するコイルケースと、
前記コイルケースの下面と隣接するように配置されるフェライトコアと、
前記第１コイル端子が電気的に接続される第１制御端子及び前記第２コイル端子が電気的に接続される第２制御端子が設けられた制御基板と、
を備え、
前記コイルケースは、
矩形の形状の前記コイルケースの下面の隅に、券回された前記収納溝の最も外側に位置する側部と連通し且つ前記収納溝の全長よりも長い前記コイルの余長を調整するための前記コイルケースの下面から凹んだ余長処理領域を有する
ことを特徴とするレゾネータ装置。
【請求項２】
下面側が前記電気自動車の固定部材に固定されるようになっている非磁性の金属ベース板と、
前記金属ベース板の上面を覆うように配置され、前記金属ベース板との間に収納空間を構成するカバーケースと、をさらに備え、
前記コイルケースは、前記収納空間内に配置されていることを特徴とする請求項１に記載のレゾネータ装置。
【請求項３】
前記収納空間内で前記金属ベース板と前記コイルケースとの間に配置されるとともに、前記フェライトコアを収納し、前記制御基板が配置されたインナーケースをさらに備えることを特徴とする請求項２に記載のレゾネータ装置。
【請求項４】
前記収納空間内で、前記コイルケースの下面と前記フェライトコアとの間に位置して前記コイルケースの下面において前記コイルを被覆するとともに、絶縁性を有する絶縁シートをさらに備える
ことを特徴とする請求項３に記載のレゾネータ装置。
【請求項５】
前記矩形の形状の前記コイルケースの下面の四隅にそれぞれ近接し且つ前記収納溝の最も外側に位置する４つの側部とそれぞれ連通する４つの余長処理領域を有する
ことを特徴とする請求項４に記載のレゾネータ装置。
【請求項６】
前記コイルの全長が、前記収納溝の全長よりも長い場合には、前記第１コイル端子を前記第１端子配置領域に収納し且つ前記第２コイル端子を前記第２端子配置領域に配置した状態で、前記収納溝の前記最も外側の部分から前記余長処理領域に前記コイルの一部がはみ出ることで、前記コイルの余長が調整されるようになっている
ことを特徴とする請求項５に記載のレゾネータ装置。
【請求項７】
前記四隅の前記４個の余長処理領域において、前記コイルの余長を調整するための前記コイルの長さが均等になるように設定されている
ことを特徴とする請求項６に記載のレゾネータ装置。
【請求項８】
前記コイルケースの下面上の中心から前記コイルケースの第１ないし第４辺及び四隅に向かう方向において、渦巻き状に形成された前記収納溝の隣接する間隔は、一定になるように設定されている
ことを特徴とする請求項７に記載のレゾネータ装置。
【請求項９】
前記第１端子配置領域と前記第２端子配置領域とは、前記コイルケースの前記第１辺側において近接して配置されている
ことを特徴とする請求項８に記載のレゾネータ装置。
【請求項１０】
前記第１端子配置領域及び前記第２端子配置領域の幅は、前記収納溝の幅よりも大きいことを特徴とする請求項８に記載のレゾネータ装置。
【請求項１１】
前記収納溝は、
前記コイルの前記他端部が前記コイルケースの前記第１辺に沿って延在するように、前記コイルを収納するとともに、前記コイルケースの下面上で前記第１辺に直交する直線が、前記コイルの前記一端部および前記コイルの前記他端部を通過するように、前記コイルを収納する
ことを特徴とする請求項８に記載のレゾネータ装置。
【請求項１２】
前記制御基板は前記インナーケースの下面側に配置されており、
前記第１コイル端子と前記第１制御端子との間、及び、前記第２コイル端子と前記第２制御端子との間は、前記絶縁シート、前記フェライトコア、及びインナーケースを貫通する貫通口を介して、ネジ止め、はんだ付け、又は溶接により接続されている
ことを特徴とする請求項６に記載のレゾネータ装置。
【請求項１３】
前記フェライトコアは、
前記インナーケースの上面上に隣接して配置された複数のフェライト板により構成されている
ことを特徴とする請求項３に記載のレゾネータ装置。
【請求項１４】
前記複数のフェライト板は、それぞれの周囲が絶縁性のテープで被覆されていることを特徴とする請求項１３に記載のレゾネータ装置。
【請求項１５】
前記カバーケースは、熱硬化性樹脂で構成されていることを特徴とする請求項３に記載のレゾネータ装置。
【請求項１６】
前記インナーケース及び前記コイルケースは、それぞれ矩形の形状を有し、
前記コイルケースの四隅には、４つの支持部が設けられ、
前記インナーケースの四隅には、４つの台座部が設けられ、
前記コイルケースの下面の中心部には、前記コイルケースの下面から下方に突出した中央支持部が設けられ、
前記インナーケースの上面の中心部には、前記インナーケースの上面の中心部から上方に突出した中央台座部が設けられ、
前記４つの支持部が、一対一に対応して、前記４つの台座部に固定されるとともに、前記中央支持部が前記中央台座部に固定されることで、前記コイルケースが前記インナーケースに支持される
ことを特徴とする請求項８に記載のレゾネータ装置。
【請求項１７】
前記コイルケースは、ガラス繊維を含有する樹脂で構成されていることを特徴とする請求項１に記載のレゾネータ装置。
【請求項１８】
前記コイルケースを構成する樹脂は、ガラス繊維を含有する熱硬化性樹脂、又は、ガラス繊維を含有する熱可塑性樹脂であることを特徴とする請求項１７に記載のレゾネータ装置。
【請求項１９】
前記熱硬化性樹脂は、不飽和ポリエステル樹脂であり、又、前記熱可塑性樹脂は、ポリフェニレンサルファイド樹脂、ポリブチレンテレフタレート樹脂、又はポリカボネート樹脂である
ことを特徴とする請求項１８に記載のレゾネータ装置。
【発明の詳細な説明】
【技術分野】
【０００１】
本発明は、レゾネータ装置に関する。
【背景技術】
【０００２】
従来、電気自動車の非接触充電に用いるために車両側に搭載された受電側のアンテナとして、ＶＡ（Vehicle Assembly）レゾネータ装置が知られている（例えば、特開２０１８−２９０９６参照）。【０００３】
このような従来のレゾネータ装置は、例えば、コイルと、電磁界を遮蔽するシールド部材と、コイルとシールド部材との間に位置するフェライト板と、シールド部材及びコイルを収容する筐体とを備える。【０００４】
しかしながら、この従来のレゾネータ装置においては、コイルを巻き付ける際の余長処理にともなうレゾネータの性能の低下を軽減するための有効な提案はなされていなかった。
【発明の開示】
【発明が解決しようとする課題】
【０００５】
そこで、本発明は、コイルケースにおいてコイルを巻き付ける際の余長処理にともなうレゾネータの性能の低下を軽減することが可能なレゾネータ装置を提供することを目的とする。
【課題を解決するための手段】
【０００６】
本発明の一態様に係る実施形態に従ったレゾネータ装置は、     
電気自動車に積載され且つ当該電気自動車を駆動するためのバッテリのワイヤレス充電に用いられ、当該電気自動車に積載される受電用又は地上に設置される送電用の、レゾネータ装置であって、
一端部に第１コイル端子が接続され、他端部に第２コイル端子が接続されたコイルと、
下面の中心部を取り囲んで巻回するように収納溝が形成され、巻回された前記収納溝の最も中心部側に位置する一端部に、前記第１コイル端子を収納する第１端子配置領域が形成され、券回された前記収納溝の最も外側に位置する他端部に、前記第２コイル端子を収納する第２端子配置領域が形成され、前記コイルを渦巻き状に前記収納溝に収納するコイルケースと、
前記コイルケースの下面と隣接するように配置されるフェライトコアと、
前記第１コイル端子が電気的に接続される第１制御端子及び前記第２コイル端子が電気的に接続される第２制御端子が設けられた制御基板と、
を備え、
前記コイルケースは、
矩形の形状の前記コイルケースの下面の隅に、券回された前記収納溝の最も外側に位置する側部と連通し且つ前記収納溝の全長よりも長い前記コイルの余長を調整するための前記コイルケースの下面から凹んだ余長処理領域を有する
ことを特徴とする。【０００７】
前記レゾネータ装置において、
下面側が前記電気自動車の固定部材に固定されるようになっている非磁性の金属ベース板と、
前記金属ベース板の上面を覆うように配置され、前記金属ベース板との間に収納空間を構成するカバーケースと、をさらに備え、
前記コイルケースは、前記収納空間内に配置されていることを特徴とする。【０００８】
前記レゾネータ装置において、
前記収納空間内で前記金属ベース板と前記コイルケースとの間に配置されるとともに、前記フェライトコアを収納し、前記制御基板が配置されたインナーケースをさらに備えることを特徴とする。【０００９】
前記レゾネータ装置において、
前記収納空間内で、前記コイルケースの下面と前記フェライトコアとの間に位置して前記コイルケースの下面において前記コイルを被覆するとともに、絶縁性を有する絶縁シートをさらに備える
ことを特徴とする。【００１０】
前記レゾネータ装置において、
前記矩形の形状の前記コイルケースの下面の四隅にそれぞれ近接し且つ前記収納溝の最も外側に位置する４つの側部とそれぞれ連通する４つの余長処理領域を有する
ことを特徴とする。【００１１】
前記レゾネータ装置において、
前記コイルの全長が、前記収納溝の全長よりも長い場合には、前記第１コイル端子を前記第１端子配置領域に収納し且つ前記第２コイル端子を前記第２端子配置領域に配置した状態で、前記収納溝の前記最も外側の部分から前記余長処理領域に前記コイルの一部がはみ出ることで、前記コイルの余長が調整されるようになっている
ことを特徴とする。【００１２】
前記レゾネータ装置において、
前記四隅の前記４個の余長処理領域において、前記コイルの余長を調整するための前記コイルの長さが均等になるように設定されている
ことを特徴とする。【００１３】
前記レゾネータ装置において、
前記コイルケースの下面上の中心から前記コイルケースの第１ないし第４辺及び四隅に向かう方向において、渦巻き状に形成された前記収納溝の隣接する間隔は、一定になるように設定されている
ことを特徴とする。【００１４】
前記レゾネータ装置において、
前記第１端子配置領域と前記第２端子配置領域とは、前記コイルケースの前記第１辺側において近接して配置されている
ことを特徴とする。【００１５】
前記レゾネータ装置において、
前記第１端子配置領域及び前記第２端子配置領域の幅は、前記収納溝の幅よりも大きいことを特徴とする。【００１６】
前記レゾネータ装置において、
前記収納溝は、
前記コイルの前記他端部が前記コイルケースの前記第１辺に沿って延在するように、前記コイルを収納するとともに、前記コイルケースの下面上で前記第１辺に直交する直線が、前記コイルの前記一端部および前記コイルの前記他端部を通過するように、前記コイルを収納する
ことを特徴とする。【００１７】
前記レゾネータ装置において、
前記制御基板は前記インナーケースの下面側に配置されており、
前記第１コイル端子と前記第１制御端子との間、及び、前記第２コイル端子と前記第２制御端子との間は、前記絶縁シート、前記フェライトコア、及びインナーケースを貫通する貫通口を介して、ネジ止め、はんだ付け、又は溶接により接続されている
ことを特徴とする。【００１８】
前記レゾネータ装置において、
前記フェライトコアは、
前記インナーケースの上面上に隣接して配置された複数のフェライト板により構成されている
ことを特徴とする。【００１９】
前記レゾネータ装置において、
前記複数のフェライト板は、それぞれの周囲が絶縁性のテープで被覆されている。【００２０】
前記レゾネータ装置において、
前記カバーケースは、熱硬化性樹脂で構成されていることを特徴とする。【００２１】
前記レゾネータ装置において、
前記インナーケース及び前記コイルケースは、それぞれ矩形の形状を有し、
前記コイルケースの四隅には、４つの支持部が設けられ、
前記インナーケースの四隅には、４つの台座部が設けられ、
前記コイルケースの下面の中心部には、前記コイルケースの下面から下方に突出した中央支持部が設けられ、
前記インナーケースの上面の中心部には、前記インナーケースの上面の中心部から上方に突出した中央台座部が設けられ、
前記４つの支持部が、一対一に対応して、前記４つの台座部に固定されるとともに、前記中央支持部が前記中央台座部に固定されることで、前記コイルケースが前記インナーケースに支持される
ことを特徴とする。【００２２】
前記レゾネータ装置において、
前記コイルケースは、ガラス繊維を含有する樹脂で構成されていることを特徴とする。【００２３】
前記レゾネータ装置において、
前記コイルケースを構成する樹脂は、ガラス繊維を含有する熱硬化性樹脂、又は、ガラス繊維を含有する熱可塑性樹脂であることを特徴とする。【００２４】
前記レゾネータ装置において、
前記熱硬化性樹脂は、不飽和ポリエステル樹脂であり、又、前記熱可塑性樹脂は、ポリフェニレンサルファイド樹脂、ポリブチレンテレフタレート樹脂、又はポリカボネート樹脂である
ことを特徴とする。
【発明の効果】
【００２５】
本発明の一態様に係るレゾネータ装置は、電気自動車に積載され且つ当該電気自動車を駆動するためのバッテリのワイヤレス充電に用いられ、当該電気自動車に積載される受電用又は地上に設置される送電用の、レゾネータ装置であって、一端部に第１コイル端子が接続され、他端に第２コイル端子が接続されたコイルと、下面の中心部を取り囲んで巻回するように収納溝が形成され、巻回された収納溝の最も中心部側に位置する一端部に、第１コイル端子を収納する第１端子配置領域が形成され、券回された収納溝の最も外側に位置する他端に、第２コイル端子を収納する第２端子配置領域が形成され、コイルを渦巻き状に収納溝に収納するコイルケースと、コイルケースの下面と隣接するように配置されるフェライトコアと、第１コイル端子が電気的に接続される第１制御端子及び第２コイル端子が電気的に接続される第２制御端子が設けられた制御基板と、を備える。【００２６】
コイルケースは、矩形の形状のコイルケースの下面の隅に、券回された収納溝の最も外側に位置する側部と連通し且つ収納溝の全長よりも長いコイルの余長を調整するためのコイルケースの下面から凹んだ余長処理領域を有する。【００２７】
そして、例えば、コイルの全長が、収納溝の全長よりも長い場合には、第１コイル端子を第１端子配置領域に収納し且つ第２コイル端子を第２端子配置領域に収納した状態で、収納溝の最も外側の部分から余長処理領域にコイルの一部がはみ出ることで、コイルの余長が調整されるようになっている。【００２８】
本発明のレゾネータ装置では、コイルケースの外側において券回されたコイルの余長処理をする構成を有するため、当該余長処理によるコイル間の間隔の変化が少ないものとなる。【００２９】
すなわち、本発明のレゾネータ装置によれば、コイルケースにおいてコイルを巻き付ける際の余長処理にともなうレゾネータの性能の低下を軽減することができる。
【図面の簡単な説明】
【００３０】
【図１】図１は、本発明に係るレゾネータ装置１００を含む充電システムの１０００の構成の一例を示す図である。
【図２】図２は、図１に示す受電用のレゾネータ装置（車両側レゾネータ装置）１００の構成の一例を示す展開図である。
【図３】図３は、図２に示すインナーケースＩＸの上面に放熱パッドＨＰとフェライトコアＦＣを収納した状態の一例を示す上面図である。
【図４】図４は、図２に示すインナーケースＩＸの下面側に制御基板ＳＫを配置した状態の一例を示す下面図である。
【図５】図５は、図２に示すコイルケースＬＸの下面の収納溝ＬＸＭにコイルＬを収納した状態の一例を示す下面図である。
【図６】図６は、放熱パッドＨＰとフェライトコアＦＣを収納したインナーケースＩＸと、絶縁シートと、コイルＬを収納したコイルケースＬＸとを組み合わせる状態の展開図である。
【図７】図７は、図６に示す放熱パッドＨＰとフェライトコアＦＣを収納したインナーケースＩＸと、絶縁シートと、コイルＬを収納したコイルケースＬＸとを組み合わせた状態の一例を示す上面図である。
【図８】図８は、図７のＡ−Ａ線に沿った断面の一例を示す断面図である。
【図９】図９は、図７のＢ−Ｂ線に沿った断面の一例を示す断面図である。
【図１０】図１０は、図７のＣ−Ｃ線に沿った断面の一例を示す断面図である。
【発明を実施するための形態】
【００３１】
以下、本発明に係る実施形態について図面に基づいて説明する。
【実施例１】
【００３２】
本実施例１では、電気自動車に積載され且つ当該電気自動車を駆動するためのバッテリのワイヤレス充電に用いられ、当該電気自動車に積載される受電用のレゾネータ装置の例を説明する。【００３３】
図１は、本発明に係るレゾネータ装置１００を含む充電システムの１０００の構成の一例を示す図である。【００３４】
本発明に係る充電システム１０００は、例えば、図１に示すように、分電盤Ｄと、地上側充電装置ＧＣと、送電用のレゾネータ装置（地上側レゾネータ装置）２００と、車両側充電装置ＶＣと、受電用のレゾネータ装置（車両側レゾネータ装置）１００と、電気自動車Ｖと、を備える。【００３５】
そして、電気自動車Ｖは、例えば、図１に示すように、当該電気自動車Ｖを駆動するため電力を充電するバッテリＸと、車両側充電装置ＶＣと、受電用のレゾネータ装置１００と、を積載している。【００３６】
また、分電盤Ｄは、例えば、図１に示すように、外部の電力系統から供給された電力を、地上側充電装置ＧＣに供給するようになっている。【００３７】
そして、地上側充電装置ＧＣは、例えば、図１に示すように、地上側に配置され、分電盤Ｄから必要な電力が供給されるようになっている。【００３８】
この地上側充電装置ＧＣは、例えば、図１に示すように、車両側充電装置ＶＣと通信して、バッテリＸのワイヤレス充電を実行するようになっている。【００３９】
この地上側充電装置ＧＣは、例えば、図示しない、車両側充電装置ＶＣと通信するための無線モジュールと、分電盤Ｄから電力が供給され電源を生成する電源回路と、電力を変換するインバータと、これらの無線モジュール、電源回路、及びインバータを制御するコントローラと、を備える。【００４０】
また、送電用のレゾネータ装置２００は、例えば、図１に示すように、地上に設置されている。この送電用のレゾネータ装置２００は、バッテリＸのワイヤレス充電に用いられるようになっている。【００４１】
この送電用のレゾネータ装置２００は、地上側充電装置ＧＣにより制御されるようになっており、例えば、送電用のコイルと、当該コイルを用いた磁気共鳴伝達を制御する制御部（制御基板）と、を備える。【００４２】
また、受電用のレゾネータ装置１００は、当該電気自動車Ｖに積載（電気自動車Ｖの下部の固定部材１００Ａに固定）されている。【００４３】
そして、この受電用のレゾネータ装置１００は、電気自動車Ｖに積載され且つ当該電気自動車Ｖを駆動するためのバッテリＸのワイヤレス充電に用いられるようになっている。【００４４】
さらに、この受電用のレゾネータ装置１００は、車両側充電装置ＶＣにより制御されるようになっており、例えば、受用のコイルと、当該コイルを用いた磁気共鳴伝達を制御する制御部（制御基板）と、を備える。【００４５】
ここで、図２は、図１に示す受電用のレゾネータ装置（車両側レゾネータ装置）１００の構成の一例を示す展開図である。また、図３は、図２に示すインナーケースＩＸの上面に放熱パッドＨＰとフェライトコアＦＣを収納した状態の一例を示す上面図である。また、図４は、図２に示すインナーケースＩＸの下面側に制御基板ＳＫを配置した状態の一例を示す下面図である。また、図５は、図２に示すコイルケースＬＸの下面の収納溝ＬＸＭにコイルＬを収納した状態の一例を示す下面図である。また、図６は、放熱パッドＨＰとフェライトコアＦＣを収納したインナーケースＩＸと、絶縁シートと、コイルＬを収納したコイルケースＬＸとを組み合わせる状態の展開図である。また、図７は、図６に示す放熱パッドＨＰとフェライトコアＦＣを収納したインナーケースＩＸと、絶縁シートと、コイルＬを収納したコイルケースＬＸとを組み合わせた状態の一例を示す上面図である。また、図８は、図７のＡ−Ａ線に沿った断面の一例を示す断面図である。また、図９は、図７のＢ−Ｂ線に沿った断面の一例を示す断面図である。また、図１０は、図７のＣ−Ｃ線に沿った断面の一例を示す断面図である。【００４６】
なお、図２において、当該レゾネータ装置１００が電気自動車Ｖに積載される場合には、上下方向が逆になっている。さらに、図２において、各部品を係止するためのネジ等は省略されている。【００４７】
既述のように、電気自動車Ｖに積載される受電用のレゾネータ装置１００は、当該電気自動車に積載され且つ当該電気自動車を駆動するためのバッテリのワイヤレス充電に用いられるようになっている。【００４８】
そして、このレゾネータ装置１００は、例えば、図２に示すように、カバーケースＣＸと、金属ベース板ＡＢと、送電用のコイルＬと、コイルケースＬＸと、フェライトコアＦＣと、インナーケースＩＸと、制御基板ＳＫと、絶縁シートＩＳと、放熱パッドＨＰと、を備える。【００４９】
そして、金属ベース板ＡＢは、下面側が電気自動車Ｖの固定部材１００Ａ（図１）に固定されるようになっている非磁性の金属板である。【００５０】
例えば、この金属ベース板ＡＢは、アルミで構成されている。【００５１】
ここで、既述の金属ベース板ＡＢは、例えば、図１、図６、図７に示すように、周辺に沿って延在する封止用溝ＡＢＭ１が形成されている。【００５２】
また、カバーケースＣＸは、例えば、図２に示すように、金属ベース板ＡＢの上面を覆うように配置されている。【００５３】
このカバーケースＣＸは、例えば、図２に示すように、金属ベース板ＡＢとの間に収納空間Ｚを構成するようになっている。すなわち、当該収納空間Ｚは、カバーケースＣＸと金属ベース板ＡＢにより囲まれた空間である。【００５４】
そして、カバーケースＣＸのうちの金属ベース板ＡＢと接する部分には、金属ベース板の上面を覆うように配置された状態で、金属ベース板ＡＢに形成された封止用溝ＡＢＭ１に嵌め込まれる突起部が形成されている。そして、当該突起部が、液体パッキンが塗布された封止用溝ＡＢＭ１に嵌め込まれる。【００５５】
なお、このカバーケースＣＸは、例えば、熱硬化性樹脂（例えば、不飽和ポリエステル樹脂）で構成されている。【００５６】
また、コイルＬは、例えば、図２に示すように、カバーケースＣＸと金属ベース板ＡＢとのより構成される収納空間Ｚに配置されている。【００５７】
このコイルＬは、一端部Ｌ１に第１コイル端子ＴＬ１が接続され、他端部Ｌ２に第２コイル端子ＴＬ２が接続されている。【００５８】
また、コイルケースＬＸは、例えば、図２に示すように、カバーケースＣＸと金属ベース板ＡＢとのより構成される収納空間Ｚ内に配置され、下面にコイルＬを収納するようになっている。【００５９】
このコイルケースＬＸは、下面の中心部を取り囲んで巻回するように収納溝ＬＸＭが形成されている。【００６０】
そして、このコイルケースＬＸは、巻回された収納溝ＬＸＭの最も中心部側に位置する一端部に、第１コイル端子ＴＬ１を収納する第１端子配置領域ＬＸＨ１が形成されている。【００６１】
なお、この第１端子配置領域ＬＸＨ１は、例えば、コイルケースＬＸの上方から第１コイル端子ＴＬ１を、コイルケースＬＸの下方に位置する制御基板ＳＫの第１制御端子ＴＳ１にネジ止めできるように、コイルケースＬＸを上下方向に貫通している。【００６２】
さらに、このコイルケースＬＸは、券回された収納溝ＬＸＭの最も外側に位置する他端部に、第２コイル端子ＴＬ２を収納する第２端子配置領域ＬＸＨ２が形成されている。【００６３】
なお、この第２端子配置領域ＬＸＨ２は、例えば、コイルケースＬＸの上方から第２コイル端子ＴＬ２を、コイルケースＬＸの下方に位置する制御基板ＳＫの第２制御端子ＴＳ２にネジ止めできるように、コイルケースＬＸを上下方向に貫通している。【００６４】
なお、例えば、図５に示すように、第１端子配置領域ＬＸＨ１と第２端子配置領域ＬＸＨ２とは、コイルケースＬＸの第１辺Ｈ１側において近接して配置されている。【００６５】
また、例えば、図５に示すように、第１端子配置領域ＬＸＨ１及び第２端子配置領域ＬＸＨ２の幅ＨＹ１、ＨＹ２は、収納溝ＬＸＭの幅ＭＹよりも大きくなるように設定されている。【００６６】
また、例えば、図５に示すように、収納溝ＬＸＭは、コイルＬの他端部Ｌ２がコイルケースＬＸの第１辺Ｈ１に沿って延在するように、コイルＬを収納するとともに、コイルケースＬＸの下面上で第１辺Ｈ１に直交する直線Ｐが、コイルＬの一端部Ｌ１およびコイルＬの他端部Ｌ２を通過するように、コイルＬを収納するようになっている。【００６７】
そして、このコイルケースＬＸは、コイルＬを渦巻き状に収納溝ＬＸＭに収納するようになっている。【００６８】
このコイルケースＬＸは、例えば、図５に示すように、矩形の形状を有する。特に、このコイルケースＬＸは、例えば、図５に示すように、その上面及び下面が正方形の形状を有する。【００６９】
そして、このコイルケースＬＸは、矩形の形状のコイルケースＬＸの下面の隅（第１角部〜第４角部Ｇ１〜Ｇ４）に、券回された収納溝ＬＸＭの最も外側に位置する側部と連通し且つ収納溝ＬＸＭの全長よりも長いコイルＬの余長を調整するためのコイルケースＬＸの下面から凹んだ余長処理領域ＬＸＧ１、ＬＸＧ２、ＬＸＧ３、ＬＸＧ４を有する。【００７０】
より詳しくは、この図５に示す例では、コイルケースＬＸは、当該矩形の形状のコイルケースＬＸの下面の四隅（第１角部〜第４角部Ｇ１〜Ｇ４）にそれぞれ近接し且つ収納溝ＬＸＭの最も外側に位置する４つの側部とそれぞれ連通する４つの第１、第２、第３及び第４余長処理領域ＬＸＧ１、ＬＸＧ２、ＬＸＧ３、ＬＸＧ４を有する。【００７１】
ここで、例えば、コイルＬの全長が、収納溝ＬＸＭの全長よりも長い場合には、第１コイル端子ＴＬ１を第１端子配置領域ＬＸＨ１に収納し且つ第２コイル端子ＴＬ２を第２端子配置領域ＬＸＨ２に配置した状態で、収納溝ＬＸＭの最も外側の部分から余長処理領域ＬＸＧ１、ＬＸＧ２、ＬＸＧ３、ＬＸＧ４にコイルＬの一部がはみ出ることで、コイルＬの余長が調整されるようになっている。【００７２】
また、例えば、図５に示すように、コイルケースＬＸの下面上の中心からコイルケースＬＸの第１ないし第４辺Ｈ１〜Ｈ４及び四隅（第１角部〜第４角部Ｇ１〜Ｇ４）に向かう方向において、渦巻き状に形成された収納溝ＬＸＭの隣接する間隔は、一定になるように設定されている。【００７３】
特に、図５に示すように、四隅（第１角部〜第４角部Ｇ１〜Ｇ４）の４個の余長処理領域ＬＸＧ１、ＬＸＧ２、ＬＸＧ３、ＬＸＧ４において、コイルＬの余長を調整するためのコイルの長さ（当該余長処理領域ＬＸＧ１、ＬＸＧ２、ＬＸＧ３、ＬＸＧ４にはみ出すコイルＬの長さ）が均等になるように設定されている。なお、例えば、当該レゾネータ装置１００を組上げる作業者が、四隅（第１角部〜第４角部Ｇ１〜Ｇ４）の４個の余長処理領域ＬＸＧ１、ＬＸＧ２、ＬＸＧ３、ＬＸＧ４において、コイルＬの余長を調整するためのコイルの長さ（当該余長処理領域ＬＸＧ１、ＬＸＧ２、ＬＸＧ３、ＬＸＧ４にはみ出すコイルＬの長さ）が均等になるように、設定する。【００７４】
これにより、当該余長処理による隣接するコイルＬ間（特に券回されたコイルＬの最外周近傍）の間隔の変化が少ないものとなり、コイルケースＬＸにおいてコイルＬを巻き付ける際の余長処理にともなうレゾネータの性能の低下を軽減することができる。【００７５】
なお、コイルケースＬＸは、例えば、ガラス繊維を含有する樹脂で構成されている。【００７６】
そして、このコイルケースＬＸを構成する樹脂は、ガラス繊維を含有する熱硬化性樹脂、又は、ガラス繊維を含有する熱可塑性樹脂である。【００７７】
特に、当該熱硬化性樹脂は、例えば、不飽和ポリエステル樹脂である。また、熱可塑性樹脂は、例えば、ポリフェニレンサルファイド（ＰＰＳ）樹脂、ポリブチレンテレフタレート樹脂、又はポリカボネート樹脂である。【００７８】
また、フェライトコアＦＣは、例えば、図２に示すように、カバーケースＣＸと金属ベース板ＡＢとのより構成される収納空間Ｚに配置され、放熱パッドＨＰを介して、インナーケースＩＸの上面に配置されている。【００７９】
そして、このフェライトコアＦＣは、収納空間Ｚにおいて、当該フェライトコアＦＣの上面がコイルケースＬＸの下面と隣接するように配置されている。【００８０】
すなわち、このフェライトコアＦＣは、例えば、図２に示すように、カバーケースＣＸと金属ベース板ＡＢとのより構成される収納空間Ｚ内に、コイルＬと対向するように配置されている。【００８１】
また、フェライトコアＦＣは、例えば、図３に示すように、インナーケースＩＸの上面上に隣接して配置された複数のフェライト板ＦＣＢにより構成されている。【００８２】
この複数のフェライト板ＦＣＢは、それぞれの周囲（それぞれが互いに隣接する端部）が絶縁性のテープ（例えば、ポリイミドテープ）で被覆されている。【００８３】
また、放熱パッドＨＰは、例えば、図２に示すように、収納空間Ｚ内に配置され、フェライトコアＦＣとインナーケースＩＸとの間に位置するようになっている。【００８４】
この放熱パッドＨＰは、シリコンで構成されている。【００８５】
また、インナーケースＩＸは、例えば、図２に示すように、カバーケースＣＸと金属ベース板ＡＢとのより構成される収納空間Ｚ内で、金属ベース板ＡＢとコイルケースＬＸとの間に配置されている。【００８６】
そして、このインナーケースＩＸは、上面にフェライトコアを収納し、下面に制御基板ＳＫが配置されている。【００８７】
このインナーケースＩＸは、例えば、熱硬化性樹脂（例えば、不飽和ポリエステル樹脂）、又は、熱可塑性樹脂（例えば、ポリフェニレンサルファイド（ＰＰＳ）樹脂）で構成されている。【００８８】
このインナーケースＩＸは、例えば、図３、図６に示すように、上面の周囲に設けられた壁部ＩＸＫ、ＩＸＫａを有する。そして、インナーケースＩＸは、コイルＬと対向するように上面の壁部ＩＸＫ、ＩＸＫａで囲まれる領域にフェライトコアＦＣを収納し且つ固定するようになっている。【００８９】
さらに、インナーケースＩＸは、その下面に制御基板ＳＫが配置されるようになっている。【００９０】
また、このインナーケースＩＸの壁部ＩＸＫの上部には、当該壁部ＩＸＫの上面から下方に凹んだ絶縁用溝部ＩＸＫＭが、壁部ＩＸＫが延在する方向に沿って形成されている（図６、図８）。【００９１】
このインナーケースＩＸの壁部ＩＸＫの上面の高さは、例えば、図８に示すように、フェライトコアＦＣの上面の高さよりも高くなっている。【００９２】
また、例えば、図８に示すように、コイルケースＬＸは、絶縁シートＩＳを介してフェライトコアＦＣとコイルＬとが対向するように、インナーケースＩＸの上面の壁部で囲まれる領域に配置されている。【００９３】
また、制御基板ＳＫの第１制御端子ＴＳ１及び第２制御端子ＴＳ２は、例えば、図３に示すように、インナーケースＩＸを上下方向に貫通する第１貫通口ＩＸＲ１及び第２貫通口ＩＸＲ２を介して、インナーケースＩＸの上面にそれぞれ露出している。【００９４】
そして、インナーケースＩＸの上面の近傍において、フェライトコアＦＣの第１貫通口ＦＣＲ１及び第２貫通口ＦＣＲ２（放熱パッドＨＰの第１貫通口ＨＰＲ１及び第２貫通口ＨＰＲ２、インナーケースＩＸの第１貫通口ＩＸＲ１及び第２貫通口ＩＸＲ２）を介して、第１コイル端子ＴＬ１と第１制御端子ＴＳ１とが電気的に接続され、第２コイル端子ＴＬ２と第２制御端子ＴＳ２とが電気的に接続されている。【００９５】
また、絶縁シートＩＳは、例えば、図２に示すように、カバーケースＣＸと金属ベース板ＡＢとにより構成される収納空間Ｚ内で、コイルケースＬＸの下面とフェライトコアＦＣとの間に位置している。【００９６】
そして、この絶縁シートＩＳは、コイルケースＬＸの下面においてコイルＬを被覆するとともに、絶縁性を有する。【００９７】
また、制御基板ＳＫは、例えば、図４に示すように、インナーケースＩＸの下面側に配置されている。【００９８】
そして、制御基板ＳＫは、例えば、図３に示すように、その上面に、第１コイル端子ＴＬ１が電気的に接続される第１制御端子ＴＳ１、及び第２コイル端子ＴＬ２が電気的に接続される第２制御端子ＴＳ２が設けられている。【００９９】
なお、図４では、制御基板ＳＫの第１コイル端子ＴＬ１及び第２コイル端子ＴＬ２の下面側に露出した部分が示されている。【０１００】
そして、第１コイル端子ＴＬ１と第１制御端子ＴＳ１との間、及び、第２コイル端子ＴＬ２と第２制御端子ＴＳ２との間は、絶縁シートＩＳ、フェライトコアＦＣ、及びインナーケースＩＸを貫通する各貫通口ＩＳＲ１、ＩＳＲ２、ＦＣＲ１、ＦＣＲ２、ＨＰＲ１、ＨＰＲ２、ＩＸＲ１、ＩＸＲ２を介して、ネジ止めにより接続されている（図７）。【０１０１】
なお、第１コイル端子ＴＬ１と第１制御端子ＴＳ１との間、及び、第２コイル端子ＴＬ２と第２制御端子ＴＳ２との間は、絶縁シートＩＳ、フェライトコアＦＣ、及びインナーケースＩＸを貫通する各貫通口ＩＳＲ１、ＩＳＲ２、ＦＣＲ１、ＦＣＲ２、ＨＰＲ１、ＨＰＲ２、ＩＸＲ１、ＩＸＲ２を介して、はんだ付け、又は溶接により接続されていてもよい。【０１０２】
また、例えば、図４に示すように、インナーケースＩＸの下面には、制御基板ＳＫの端部ＳＫａの近傍において、段差Ｊが形成されている。これにより、制御基板ＳＫと金属ベース基板ＡＢとの間の沿面距離を長くできるようになっている。【０１０３】
ここで、インナーケースＩＸ及びコイルケースＬＸは、それぞれ矩形（四角形）の形状を有する（図２〜図７）。【０１０４】
そして、例えば、図３に示すように、インナーケースＩＸの四隅（第１〜第４の角部Ｆ１〜Ｆ４）には、４つの台座部ＩＦ１、ＩＦ２、ＩＦ３、ＩＦ４が設けられている。【０１０５】
さらに、例えば、図３に示すように、インナーケースＩＸの上面の中心部には、インナーケースＩＸの上面の中心部から上方に突出した中央台座部ＩＸＣが設けられている。【０１０６】
そして、例えば、図５に示すように、コイルケースＬＸの四隅（第１〜第４の角部Ｇ１〜Ｇ４）には、４つの支持部ＮＧ１、ＮＧ２、ＮＧ３、ＮＧ４が設けられている。【０１０７】
さらに、例えば、図５に示すように、コイルケースＬＸの下面の中心部には、コイルケースＬＸの下面から下方に突出した中央支持部ＬＸＣが設けられている。【０１０８】
当該４つの支持部ＮＧ１、ＮＧ２、ＮＧ３、ＮＧ４が、一対一に対応して、４つの台座部ＩＦ１、ＩＦ２、ＩＦ３、ＩＦ４に固定（例えば、ネジ止め等により固定）されるとともに、中央支持部ＬＸＣが中央台座部ＩＸＣに固定（例えば、接着等により固定）されることで、コイルケースＬＸがインナーケースＩＸに支持されるようになっている（図６）。【０１０９】
特に、コイルケースＬＸの中央支持部ＬＸＣがインナーケースＩＸの中央台座部ＩＸＣに固定されることにより、インナーケースＩＸの上面とコイルケースＬＸの下面との間隔が予め設定された距離に固定されることとなる。【０１１０】
また、例えば、図３に示すように、インナーケースＩＸの中央台座部ＩＸＣの上面には、内面に段差を有する凹部ＩＸＣａが形成されている。【０１１１】
そして、このインナーケースＩＸの中央台座部ＩＸＣの上面の凹部ＩＸＣａと、コイルケースＬＸの下面から下方に突出した中央支持部ＬＸＣとが嵌合することで、より確実に所定の位置関係で固定できるようになっている（図９）。【０１１２】
そして、例えば、図３に示すように、複数のフェライト板ＦＣＢは、インナーケースＩＸの上面において、インナーケースＩＸの当該中央台座部ＩＸＣとインナーケースＩＸの上面の周囲に設けられた壁部ＩＸＫとの間に並んで配置されている。【０１１３】
また、例えば、図６に示すように、このインナーケースＩＸの四隅における壁部ＩＸＫａの高さＩＸＫａｈ（図１０の金属ベース基板ＡＢの上面から壁部ＩＸＫａの上面までの高さ）は、インナーケースＩＸの四隅の間の辺における壁部ＩＸＫの高さＩＸＫｈ（図８の金属ベース基板ＡＢの上面から壁部ＩＸＫの上面までの高さ）よりも低くなっている。【０１１４】
さらに、例えば、図１０に示すように、コイルケースＬＸの四隅（第１〜第４の角部Ｇ１〜Ｇ４）の４つの支持部ＮＧ１〜ＮＧ４は、それぞれ、インナーケースＩＸの四隅（第１〜第４の角部Ｆ１〜Ｆ４）における壁部ＩＸＫａ上を跨いで、インナーケースＩＸの４つの台座部ＩＦ１〜ＩＦ４に固定されるようになっている。【０１１５】
特に、コイルケースＬＸの４つの支持部ＮＧ１〜ＮＧ４の近傍には、それぞれ下方に突出する突出部ＬＸａが設けられており、インナーケースＩＸの四隅における壁部ＩＸＫａの上部には、当該壁部ＩＸＫａの上面から下方に凹んだ絶縁用溝部ＩＸＫａＭが、インナーケースＩＸの四隅における壁部ＩＸＫａが延在する方向に沿って形成されている（図６、図１０）。【０１１６】
当該コイルケースＬＸの４つの支持部ＮＧ１〜ＮＧ４の突出部ＬＸａがインナーケースＩＸの四隅（第１〜第４の角部Ｆ１〜Ｆ４）における壁部ＩＸＫａの絶縁用溝部ＩＸＫａＭに挿入されることにより、インナーケースＩＸの上面とコイルケースＬＸの下面との間隔が予め設定された距離に固定されることとなる。【０１１７】
なお、コイルケースＬＸの中央支持部ＬＸＣは、絶縁シートＩＳの中央に設けられた貫通口ＩＳＱ、フェライトコアＦＣの中央に設けられた貫通口ＦＣＱ、及び、放熱パッドＨＰの中央に設けられた貫通口ＨＰＱを介して（図２）、インナーケースＩＸの中央台座部ＩＸＣに固定されるようになっている。【０１１８】
以上のように、実施例１に係るレゾネータ装置１００によれば、コイルケースＣＸは、矩形の形状のコイルケースＣＸの下面の隅Ｇ１〜Ｇ４に、券回された収納溝ＬＸＭの最も外側に位置する側部と連通し且つ収納溝ＬＸＭの全長よりも長いコイルの余長を調整するためのコイルケースＣＸの下面から凹んだ余長処理領域ＬＸＧ１〜ＬＸＧ４を有する。【０１１９】
そして、例えば、コイルＬの全長が、収納溝ＬＸＭの全長よりも長い場合には、第１コイル端子ＴＬ１を第１端子配置領域ＬＸＨ１に収納し且つ第２コイル端子ＴＬ２を第２端子配置領域ＬＸＨ２に収納した状態で、収納溝ＬＸＭの最も外側の部分から余長処理領域ＬＸＧ１〜ＬＸＧ４にコイルの一部がはみ出ることで、コイルの余長が調整されるようになっている。【０１２０】
そして、レゾネータ装置１００では、コイルケースの外側において券回されたコイルの余長処理をする構成を有するため、当該余長処理によるコイル間の間隔の変化が少ないものとなる。【０１２１】
すなわち、実施例１に係るレゾネータ装置１００によれば、コイルケースにおいてコイルを巻き付ける際の余長処理にともなうレゾネータの性能の低下を軽減することができる。
【実施例２】
【０１２２】
既述の実施例１では、電気自動車に積載され且つ当該電気自動車を駆動するためのバッテリのワイヤレス充電に用いられ、当該電気自動車に積載される受電用のレゾネータ装置１００の例を説明した。【０１２３】
しかし、本発明は、電気自動車に積載され且つ当該電気自動車を駆動するためのバッテリのワイヤレス充電に用いられ、地上に設置される送電用のレゾネータ装置２００にも、適用されることができる。この場合、受電用のレゾネータ装置１００のコイルが、送電用のレゾネータ装置２００のコイルに対応することとなる。【０１２４】
なお、この実施例２におけるその他のレゾネータ装置の構成は、実施例１と同様である。【０１２５】
以上のように、本発明の一態様に係るレゾネータ装置は、電気自動車に積載され且つ当該電気自動車を駆動するためのバッテリのワイヤレス充電に用いられ、当該電気自動車に積載される受電用又は地上に設置される送電用の、レゾネータ装置であって、一端部Ｌ１に第１コイル端子ＴＬ１が接続され、他端部Ｌ２に第２コイル端子ＴＬ２が接続されたコイルＬと、下面の中心部を取り囲んで巻回するように収納溝ＬＸＭが形成され、巻回された収納溝ＬＸＭの最も中心部側に位置する一端部に、第１コイル端子ＴＬ１を収納する第１端子配置領域が形成され、券回された収納溝ＬＸＭの最も外側に位置する他端部に、第２コイル端子ＴＬ２を収納する第２端子配置領域が形成され、コイルを渦巻き状に収納溝ＬＸＭに収納するコイルケースＬＸと、コイルケースの下面と隣接するように配置されるフェライトコアＦＣと、第１コイル端子が電気的に接続される第１制御端子及び第２コイル端子が電気的に接続される第２制御端子が設けられた制御基板と、を備える。【０１２６】
コイルケースは、矩形の形状のコイルケースの下面の隅（第１角部）に、券回された収納溝ＬＸＭの最も外側に位置する側部と連通し且つ収納溝ＬＸＭの全長よりも長いコイルの余長を調整するためのコイルケースの下面から凹んだ余長処理領域Ｚを有する。【０１２７】
そして、例えば、コイルＬの全長が、収納溝ＬＸＭの全長よりも長い場合には、第１コイル端子ＴＬ１を第１端子配置領域に収納し且つ第２コイル端子ＴＬ２を第２端子配置領域に収納した状態で、収納溝ＬＸＭの最も外側の部分から余長処理領域にコイルの一部がはみ出ることで、コイルの余長が調整されるようになっている。【０１２８】
本発明のレゾネータ装置では、コイルケースの外側において券回されたコイルの余長処理をする構成を有するため、当該余長処理によるコイル間の間隔の変化が少ないものとなる。【０１２９】
すなわち、本発明のレゾネータ装置によれば、コイルケースにおいてコイルを巻き付ける際の余長処理にともなうレゾネータの性能の低下を軽減することができる。【０１３０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３１】
充電システム１０００
Ｄ  分電盤
ＧＣ  地上側充電装置
２００  送電用のレゾネータ装置（地上側レゾネータ装置）
ＶＣ  車両側充電装置
１００  受電用のレゾネータ装置（車両側レゾネータ装置）
Ｖ  電気自動車
ＣＸ  カバーケース
ＡＢ  金属ベース板
Ｌ  送電用のコイル
ＬＸ  コイルケース
ＦＣ  フェライトコア
ＩＸ  インナーケース
ＳＫ  制御基板
ＩＳ  絶縁シート
ＨＰ  放熱パッド
【図１】
2020044450.tif 000003
【図２】
2020044450.tif 000004
【図３】
2020044450.tif 000005
【図４】
2020044450.tif 000006
【図５】
2020044450.tif 000007
【図６】
2020044450.tif 000008
【図７】
2020044450.tif 000009
【図８】
2020044450.tif 000010
【図９】
2020044450.tif 000011
【図１０】
2020044450.tif 000012
【手続補正書】
【提出日】令和3年2月12日(2021.2.12)
【手続補正２】
【補正対象書類名】明細書
【補正対象項目名】０００１
【補正方法】変更
【補正の内容】
【０００１】
本発明は、非接触充電システムにおける地上又は電気自動車に配置されるコイル装置に関する。
【手続補正３】
【補正対象書類名】明細書
【補正対象項目名】０００５
【補正方法】変更
【補正の内容】
【０００５】
そこで、本発明は、コイルケースにおいてコイルを巻き付ける際の余長処理にともなうレゾネータの性能の低下を軽減することが可能なコイル装置（レゾネータ装置）を提供することを目的とする。
【手続補正４】
【補正対象書類名】明細書
【補正対象項目名】０００６
【補正方法】変更
【補正の内容】
【０００６】
本発明は、地上に配置された送電側のコイル装置と電気自動車に配置された受電側のコイル装置との間で電力を伝送し、前記電気自動車に搭載されたバッテリを充電する非接触充電システムにおける地上又は電気自動車に配置されるコイル装置である。その上で、コイル装置は、平板状のコイルケースと、前記コイルケースの表面に渦巻き状に形成されたコイル収納溝内に収納され、前記コイルケースの表面上に渦巻き状に配置されるコイルと、前記コイルケース及び前記コイルを内部に収容する装置ケースと、を備える。そして、前記コイルケースは、前記コイルケースの表面における前記コイル収納溝の外側の位置に形成され、前記コイル収納溝内に入りきらずに前記コイル収納溝からはみ出る前記コイルの余長部分を収容するコイル余長収容部を有する。
【手続補正５】
【補正対象書類名】明細書
【補正対象項目名】０００７
【補正方法】変更
【補正の内容】
【０００７】
上記構成のコイル装置において、前記コイル余長収容部は、前記コイルケースの表面における前記コイル収納溝の外側の位置の四箇所に形成されている構成としてもよい。
【手続補正６】
【補正対象書類名】明細書
【補正対象項目名】０００８
【補正方法】変更
【補正の内容】
【０００８】
上記構成のコイル装置において、前記装置ケースは、平板状のベース部材と、前記ベース部材に取り付けられるインナーケースと、前記インナーケースを覆うように取り付けられるカバー部材とを有し、前記装置ケースは、前記インナーケースと前記カバー部材との間に形成される内部空間に前記コイルケース及び前記コイルを収容する構成としてもよい。
【手続補正７】
【補正対象書類名】明細書
【補正対象項目名】０００９
【補正方法】変更
【補正の内容】
【０００９】
上記構成のコイル装置において、前記ベース部材と前記インナーケースの間の位置に配置され、前記コイルが接続される制御基板を備える構成としてもよい。
【手続補正８】
【補正対象書類名】明細書
【補正対象項目名】００１０
【補正方法】変更
【補正の内容】
【００１０】
上記構成のコイル装置において、前記コイルと前記装置ケースの間の位置に絶縁シートを介して配置される平板状のフェライトコアを備える構成としてもよい。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】変更
【補正の内容】
【００２７】
本発明によれば、コイルケースが、コイルケースの表面におけるコイル収納溝の外側の位置に形成され、コイル収納溝内に入りきらずにコイル収納溝からはみ出るコイルの余長部分を収容するコイル余長収容部を有する構成になっている。そのため、例えば、コイルの全長が、収納溝の全長よりも長い場合には、収納溝の最も外側の部分からコイル余長収容部にコイルの一部がはみ出ることで、コイルの余長が調整されるようになっている。
【手続補正２６】
【補正対象書類名】明細書
【補正対象項目名】００２８
【補正方法】変更
【補正の内容】
【００２８】
本発明に係るコイル装置では、コイルケースの外側においてコイルの余長処理をする構成を有するため、当該余長処理によるコイル間の間隔の変化が少ないものとなる。
【手続補正２７】
【補正対象書類名】明細書
【補正対象項目名】００２９
【補正方法】変更
【補正の内容】
【００２９】
すなわち、本発明に係るコイル装置によれば、コイルケースにおいてコイルを巻き付ける際の余長処理にともなうレゾネータの性能の低下を軽減することができる。
【手続補正２８】
【補正対象書類名】特許請求の範囲
【補正対象項目名】全文
【補正方法】変更
【補正の内容】
【特許請求の範囲】
【請求項１】
地上に配置された送電側のコイル装置と電気自動車に配置された受電側のコイル装置との間で電力を伝送し、前記電気自動車に搭載されたバッテリを充電する非接触充電システムにおける地上又は電気自動車に配置されるコイル装置であって、
平板状のコイルケースと、
前記コイルケースの表面に渦巻き状に形成されたコイル収納溝内に収納され、前記コイルケースの表面上に渦巻き状に配置されるコイルと、
前記コイルケース及び前記コイルを内部に収容する装置ケースと、を備え、
前記コイルケースは、前記コイルケースの表面における前記コイル収納溝の外側の位置に形成され、前記コイル収納溝内に入りきらずに前記コイル収納溝からはみ出る前記コイルの余長部分を収容するコイル余長収容部を有するコイル装置。
【請求項２】
前記コイル余長収容部は、前記コイルケースの表面における前記コイル収納溝の外側の位置の四箇所に形成されている請求項１に記載のコイル装置。
【請求項３】
前記装置ケースは、平板状のベース部材と、前記ベース部材に取り付けられるインナーケースと、前記インナーケースを覆うように取り付けられるカバー部材とを有し、
前記装置ケースは、前記インナーケースと前記カバー部材との間に形成される内部空間に前記コイルケース及び前記コイルを収容する請求項１又は２に記載のコイル装置。
【請求項４】
前記ベース部材と前記インナーケースの間の位置に配置され、前記コイルが接続される制御基板を備える請求項３に記載のコイル装置。
【請求項５】
前記コイルと前記装置ケースの間の位置に絶縁シートを介して配置される平板状のフェライトコアを備える請求項１〜４のいずれかに記載のコイル装置。
【国際調査報告】
2020044450.tif 000013
2020044450.tif 000014